(57)【要約】      （修正有）【課題】ノズルの作動不良となるシリンダの先端部及びノズルとの摺動部の汚れを防ぐ人体洗浄装置を提供する。【解決手段】人体洗浄装置１は、便器３上に設けられた本体１０と、本体１０に内蔵され、洗浄水を吐出するノズル２１及びノズル２１を摺動可能に収容するシリンダ２２とを有する洗浄手段２０と、本体１０に形成され、洗浄手段２０が出没する開口部１３と、洗浄手段の出没を行う駆動手段４０と、本体１０に対して回動し、開口部１３を塞ぐシャッター３１と、洗浄手段２０のシリンダ２２が開口部１３へ向けて移動することでシャッター３１を開閉する開閉機構とを備え、洗浄時にシャッター３１とノズル２１が当接しない構成とする。【選択図】図１
2011202416.tif 000002
【特許請求の範囲】
【請求項１】
便器上に設けられた本体と、
前記本体に内蔵され、洗浄水を吐出するノズル及び前記ノズルを摺動可能に収容するシリンダとを有する洗浄手段と、
前記本体に形成され、前記洗浄手段が出没する開口部と、
前記洗浄手段の出没を行う駆動手段と、
前記本体に対して回動し、前記開口部を塞ぐシャッターと、
前記洗浄手段の前記シリンダが前記開口部へ向けて移動することで前記シャッターを開閉する開閉機構とを備え、
洗浄時に前記開閉機構により前記シャッターを回動させることで前記シャッターと前記ノズルが当接しないことを特徴とした人体洗浄装置。
【請求項２】
前記開閉機構は、前記シリンダの先端部に設けられ、前記先端部より前方に伸びる突部を有し、前記シリンダの前方移動時に前記突部が当接して前記シャッターを開方向へと回動させることを特徴とした請求項１の人体洗浄装置。
【請求項３】
前記開閉機構は、前記シャッターの後方に取り付けられ、前記洗浄手段の移動により回動する屈曲部を有し、前記シリンダの前方移動時に前記シリンダが前記屈曲部により前記シャッターを開方向へと回動させることを特徴とした請求項１の人体洗浄装置。
【発明の詳細な説明】
【技術分野】
【０００１】
本発明は、人体の局部洗浄の洗浄手段と便器内部とを遮断するシャッターを有する人体洗浄装置に関するものである。
【背景技術】
【０００２】
従来、人体洗浄装置について、特許文献１に示される構成が開示されている。
【０００３】
この人体洗浄装置は、便器に配設されたハウジング内には、洗浄手段であるシリンダ及びノズルが収容されている。この洗浄手段は、駆動手段によって便器側へとノズルを移動する。さらに、ハウジングはノズルが出没する開口部を有しており、その開口部を覆うようにシャッターが設けられている。この人体洗浄装置は、シリンダの先端部が便器側へと移動することによりシャッターを後方から押し開く構造となり、シリンダによってシャッターを開けた後にノズルが摺動して洗浄を行うため、ノズルをシャッターに接触させることなくシャッターの開閉を行うことが可能となる。
【先行技術文献】
【特許文献】
【０００４】
【特許文献１】特許第３５５５３５８号（図３〜図５）
【発明の概要】
【発明が解決しようとする課題】
【０００５】
この人体洗浄装置は、シリンダの先端部がシャッターよりも前方に位置して洗浄を行うため、人体の局部を洗浄した跳ね水等がシリンダに掛かり、シリンダが汚れる。また、シリンダの先端部は、ノズルと摺動する摺動部が設けられており、シリンダの先端部の汚れにより摺動部も汚れるため、ノズルの作動不良の原因となる。
【０００６】
従って、本発明はノズルの作動不良となるシリンダとノズルとの間の汚れを防ぐ人体洗浄装置を提供する。
【課題を解決するための手段】
【０００７】
上記の課題を解決するために講じた手段は、便器上に設けられた本体と、本体に内蔵され、洗浄水を吐出するノズル及びノズルを摺動可能に収容するシリンダとを有する洗浄手段と、本体に形成され、洗浄手段が出没する開口部と、洗浄手段の出没を行う駆動手段と、本体に対して回動し、開口部を塞ぐシャッターと、洗浄手段のシリンダが開口部へ向けて移動することでシャッターを開閉する開閉機構とを備え、洗浄時に開閉機構によりシャッターを回動させることでシャッターとノズルが当接しない構成の人体洗浄装置である。
【０００８】
さらに、開閉機構は、シリンダの先端部に設けられ、先端部より前方に伸びる突部を有し、シリンダの前方移動時に突部にてシャッターを開方向へと回動させる構成としてもよい。
【０００９】
また、開閉機構は、シャッターの後方に取り付けられ、洗浄手段の移動により回動する屈曲部を有し、シリンダの前方移動時にシリンダが屈曲部によりシャッターを開方向へと回動させる構成としてもよい。
【発明の効果】
【００１０】
本発明によれば、この人体洗浄装置は、シリンダが本体に設けられた開口部へと移動することによって、シャッターを押し開くための開閉機構を作動させてシャッターを開ける。この開閉機構は、洗浄するために摺動したノズルと当接しないようにシャッターを支持しているため、ノズルとシャッターとの間には空間が設けられる。これにより、開閉機構はノズルとシャッターとが互いに干渉しないために長時間使用による摩耗等での寿命を縮めることを抑制できる。さらに、シャッターは、人体の局部洗浄時の跳ね水や汚物がシリンダに掛かるのを抑制し、シリンダを清潔に保つことを可能とする。このように、シリンダを清潔に保つことは、シリンダ及びノズルの摺動部分の清潔にも繋がるため、人体洗浄装置の汚れによるノズルとシリンダの作動不良を抑制できる。
【００１１】
この人体洗浄装置の開閉機構は、シリンダの先端部に設けられた突部がシリンダの移動とともに一体で移動することで、シャッターを押し開く構造となっている。これにより、開閉機構は、人体の局部洗浄時の跳ね水や汚物がシリンダに掛かるのを抑制し、シリンダを清潔に保つことを可能とする。さらに、開閉機構は形状及び機構が簡素であるため製造コストを軽減することができる。
【００１２】
また、この人体洗浄装置の開閉機構は、シャッターの後方に設けられ、洗浄手段の移動方向に回動自在な屈曲部がシリンダと当接し、シリンダの移動とともにシャッターを押上げる構造となっている。これにより、人体洗浄装置は、人体の局部洗浄時に跳ね水や汚物がシリンダに掛かるのを抑制し、シリンダを清潔に保つことが可能となる。
【図面の簡単な説明】
【００１３】
【図１】本発明の実施例１における人体洗浄装置の断面図。
【図２】図１に示す本発明の実施例１におけるシャッターアダプタの形状を示す図。
【図３】シャッターアダプタと本体との組み付けを示す図。
【図４】シャッターアダプタの装着前の側面図。
【図５】シャッターアダプタ装着後の側面図。
【図６】本発明の実施例１における開閉機構の動作説明図（シリンダの作動前）。
【図７】本発明の実施例１における開閉機構の動作説明図（シャッターの作動時）。
【図８】本発明の実施例２における人体洗浄装置の断面図。
【図９】図８に示す本発明の実施例２におけるシャッターアダプタの形状を示す図。
【図１０】本発明の実施例２における開閉機構の動作説明図（シリンダの作動前）。
【図１１】本発明の実施例２における開閉機構の動作説明図（シャッターの作動時）。
【発明を実施するための形態】
【００１４】
本発明の実施形態について以下に説明する。
【００１５】
（実施例１）
本発明の実施例１に係わる人体洗浄装置１の構成について、図１を用いて説明する。図１は便器３に取り付けられた人体洗浄装置１の断面図を示している。
【００１６】
図１に示すように、人体洗浄装置１は、便器３に取り付けられた本体１０と人体の局部を洗浄する洗浄手段２０等によって構成されている。本体１０は、便器３に取り付けるベースプレート１１とベースプレート１１を覆うようにベースカバー１２で構成されており、人体の局部を洗浄する洗浄手段２０が内蔵され、洗浄手段２０が便器３内側へと移動する前方には開口部１３が形成されている。この開口部１３には、シャッターアダプタ３０がベースプレート１１に着脱可能に取り付けられている。このシャッターアダプタ３０には、便器３内側に回動自在なシャッター３１が設けられている。また、洗浄手段２０は、人体の局部へ洗浄水を吐出するノズル２１とシリンダ２２とによって構成され、シリンダ２２内をノズル２１が洗浄手段の移動方向に摺動可能となっている。さらに、この洗浄手段は、シリンダ２２を便器３内側へと移動させ、ノズル２１から吐出される洗浄水の範囲を広くするためにシリンダ２２を揺動させる駆動手段４０と、シリンダ２２に供給する洗浄水の量を調節する調節弁５０を備えており、調節弁５０を通してシリンダ２２に洗浄水が供給されることでノズル２１がシリンダ２２と摺動する構造となっている。さらに、人体洗浄装置１には、シャッター３１を開けるための開閉機構６０が設けられている。この開閉機構６０は、シリンダ２２の先端部２２ａから前方（便器３内）に向かって延在する突部６１がシリンダ２２の先端部２２ａに設けられ、駆動手段４０によって移動するシリンダ２２とともに移動し、突部６１がシャッター３１と当接することでシャッター３１を図１に示す時計方向（開方向）に押し開く構造となっている。また、洗浄手段２０のノズル２１は、シリンダ２２の動作とともに開閉機構６０がシャッター３１を押し開いた後、シリンダ２２内を摺動することが可能となる。これは、ノズル２１がシャッター３１と当接するのを抑制し、ノズル２１の摩耗等を防ぐことができる。
【００１７】
次に、本発明の実施例１に係わるシャッターアダプタ３０の構成について、図２から図５を用いて説明する。図２は本発明のシャッターアダプタ３０の形状を示す図であり、図３はシャッターアダプタ３０及び本体１０との組み付けを説明する説明図を示している。さらに、図４はシャッターアダプタ３０の装着前の側面図を示し、図５はシャッターアダプタ３０の装着後の側面図を示している。
【００１８】
図２に示すように、シャッターアダプタ３０は、上部３２及び下部３３とこれらを互いに結合する側部３４によって、シリンダ２２及びノズル２１が挿通し、出没するように中空形状を成している。上部３２には、シャッター３１が回転自在に取り付けられており、下部３３の両端には、ベースプレート１１に差し込む挿入部３５が形成されている。さらに、下部３３の略中央には、ベースプレート１１とから離脱を防ぐための係止部７１が形成されている。そして、側部３４には、シャッター３１を取り付ける軸受け３６が成形され、シャッター３１の回動軌道上に設けられたシャッター３１の一部を収容する収容溝３７によって、回動できる範囲を確保することでシャッター３１を開閉機構６０で押し開くことが可能となる。
【００１９】
図３に示すように、ベースプレート１１には、シャッターアダプタ３０の挿入部３５をベースプレート１１の装着完了位置まで導くガイド部１４が設けられている。このガイド部１４は、本体１０内から開口部１３まで設けられており、使用者が上方から目視した際に、使用者は開口部１３のガイド部１４を確認することが可能である。さらに、図４、図５に示すように、シャッターアダプタ３０とベースプレート１１を装着する際のストッパ構造７０は、シャッターアダプタ３０の略中央にベースプレート１１側へ形成された突形状の係止部７１と、ベースプレート１１のシャッターアダプタ３０を取り付ける部分の略中央に、シャッターアダプタ３０の係止部７１を係止する係止穴７２とで構成されている。取り付ける際は、シャッターアダプタ３０の挿入部３５をシャッター３１によって塞がれた反対側からベースプレート１１のガイド部１４へ進入させ、係止部７１が係止穴７２に係止される位置まで進むことで装着が完了する。取り外す際のストッパ構造７０は、シャッターアダプタ３０の下部３３のシャッター３１側に設けられたつまみ部７３をベースプレート１１側へ押し下げることで、シャッターアダプタ３０の下部３３の一部が支点となり、係止部７１が持ち上げられてベースプレート１１の係止穴７２と係止を解除することでシャッターアダプタ３０のベースプレート１１からの取り外しが可能となる。
【００２０】
次に本発明の実施例１に係わる開閉機構６０の動作について図１及び図６、図７を用いて説明する。図６は開閉機構６０の動作説明図（シリンダ２２の作動時）を示し、図７は開閉機構６０の動作説明図（シャッター３１の開作動時）を示している。
【００２１】
図６に示すように、人体洗浄装置１は、シリンダ２２の先端部２２ａに取り付けられ、シリンダ２２の移動方向の前方に延在する開閉機構６０の突部６１が設けられている。この突部６１は、シリンダ２２及びノズル２１とともに開口部１３に取り付けられたシャッターアダプタ３０に挿通されており、シリンダ２２の移動とともにシャッターアダプタ３０内を移動可能である。図７に示すように、人体洗浄装置１は、シリンダ２２が駆動手段４０によって前方へ移動する。その際、開閉機構６０の突部６１が、シリンダ２２とともに移動し、シャッター３１と当接し、シャッター３１を押し開く方向に力を加える。この時、ノズル２１は、シリンダ２２内に洗浄水が供給されていないためシリンダ２２内を摺動しない。さらに、図１に示すように、シリンダ２２の移動によって突部６１がシャッター３１を押し開けていくと、シャッター３１及び摺動したノズル２１は、互いが当接することなく所定空間を形成する。これにより、シャッター３１が押し開いた後に洗浄位置へ移動するノズル２１は、シャッター３１と干渉しないために長時間使用による摩耗等での寿命を縮めるのを抑制できる。
【００２２】
（実施例２）
本発明の実施例２に係わる人体洗浄装置２の構成について、図８を用いて説明する。図８は便器３に取り付けられた人体洗浄装置２の断面図を示している。
【００２３】
図８に示すように、人体洗浄装置２は、便器３に取り付けられた本体１０と人体の局部を洗浄する洗浄手段２０等によって構成されている。本体１０は、便器３に取り付けるベースプレート１１とベースプレート１１を覆うようにベースカバー１２で構成されており、人体の局部を洗浄する洗浄手段２０が内蔵され、洗浄手段２０が便器３内側へと移動する前方には開口部１３が形成されている。この開口部１３には、シャッターアダプタ３０がベースプレート１１に着脱可能に取り付けられている。このシャッターアダプタ３０には、便器３内側に回動自在なシャッター３１が設けられている。また、洗浄手段２０は、シリンダ２２と人体の局部へ洗浄水を吐出するノズル２１によって構成され、シリンダ２２内をノズル２１が洗浄手段２０の移動方向に摺動可能となっている。さらに、この洗浄手段は、シリンダ２２を便器３内側へと移動させ、ノズル２１から吐出される洗浄水の範囲を広くするためにシリンダ２２を揺動させる駆動手段４０と、シリンダ２２に供給する洗浄水の量を調節する調節弁５０を備えており、調節弁５０を通してシリンダ２２に洗浄水が供給されることでノズル２１がシリンダと摺動する構造となっている。さらに、人体洗浄装置２には、シャッター３１を開けるための開閉機構８０が設けられている。この開閉機構８０は、シャッターダプタ３０の後方に回動軸８１を有し、回動軸８１から延在する第１リンク８２とシャッター３１を押し開く第２リンク８３との間に介する屈曲部８４によって構成されている。さらに、第１リンク８２または屈曲部８４が、シリンダ２２の先端部２２ａの前方端面２２ｂまたは側部端面２２ｃと当接する。この開閉機構８０は、シリンダ２２が駆動手段４０によって移動することで、回動軸８１を中心に回動して第２リンク８３がシャッター３１と当接し、シャッター３１を図８に示す時計方向（開方向）に押し開く機構となっている。
【００２４】
次に、本発明の実施例２に係わるシャッターダプタ３０の構成について、図９及び図３、図４を用いて説明する。図９はシャッターダプタ３０の形状を示す図を示している。
【００２５】
図９に示すように、シャッターアダプタ３０は、上部３２及び下部３３とこれらを互いに結合する側部３４によって、シリンダ２２及びノズル２１が挿通し、出没するように中空形状を成している。上部３２には、シャッター３１が回転自在に取り付けられており、下部３３には、ベースプレート１１に差し込む挿入部３５が形成されている。さらに、下部３３の略中央には、ベースプレート１１とから離脱を防ぐための係止部７１が形成されている。そして、側部３４には、シャッター３１を取り付ける軸受け３６が成形され、シャッター３１の回動軌道上に設けられたシャッター３１の一部を収容する収容溝に３７よって、回動できる範囲を確保することでシャッター３１を開閉機構８０で押し開くことが可能となる。さらに、シャッター３１の後方には、開閉機構８０の回動軸８１を支持する軸受け８５が設けられている。この軸受け８５は、開閉機構８０の第１リンク８２を回動自在に支持することで、シリンダ２２の動きに合わせて開閉機構８０を回動してシャッターを開閉することが可能となる。
【００２６】
図３に示すように、ベースプレート１１には、シャッターアダプタ３０の挿入部をベースプレート１１の装着完了位置まで導くガイド部１４が設けられている。このガイド部１４は、本体１０内から開口部１３まで設けられており、使用者が上方から目視した際に、使用者は開口部１３のガイド部１４を確認することが可能である。さらに、図４に示すように、シャッターアダプタ３０とベースプレート１１を装着する際のストッパ構造７０は、シャッターアダプタ３０の略中央にベースプレート１１側へ形成された突形状の係止部７１と、ベースプレート１１のシャッターアダプタ３０を取り付ける部分の略中央に、シャッターアダプタ３０の係止部７１を係止する係止穴７２とで構成されている。取り付ける際は、シャッターアダプタ３０の挿入部３５をシャッター３１によって塞がれた反対側からベースプレート１１のガイド部１４へ進入させ、係止部７１が係止穴７２に係止される位置まで進むことで装着が完了する。取り外す際のストッパ構造７０は、シャッターアダプタ３０の下部３３のシャッター３１側に設けられたつまみ部７３をベースプレート１１側へ押し下げることで、シャッターアダプタ３０の下部３３の一部が支点となり、係止部７１が持ち上げられてベースプレート１１の係止穴７２と係止を解除することでシャッターアダプタ３０のベースプレート１１からの取り外しが可能となる。
【００２７】
次に本発明の実施例２に係わる開閉機構８０の動作について、図８及び図１０、図１１を用いて説明する。図１０は開閉機構８０の動作説明図（シリンダ２２の作動時）を示し、図１１は開閉機構８０の動作説明図シャッターの開作動時）である。
【００２８】
図１０に示すように、人体洗浄装置２が動作前では、開閉機構８０の第２リンク８３とシャッター３１が離れた状態で保持されている。さらに、図１１に示すように、シリンダ２２が駆動手段４０によって便器３側へ移動する際には、開閉機構８０の第１リンク８２とシリンダ２２の先端部２２ａとの当接する場所が、開閉機構８０の屈曲部８４へと近づき、また、第２リンク８３の先端部がシャッター３１に当接してシャッター３１を押し開いていく。図８に示すように、この人体洗浄装置２は、シリンダ２２の移動が進むと開閉機構８０の屈曲部８４とシリンダ２２の側部端面２２ｃが当接する。この屈曲部８４は、シリンダ２２の移動にあわせて側部端面２２ｃを摺動することが可能であり、シリンダ２２が揺動手段５０によって揺動させられても側部端面２２ｃを摺動自在である。このため、開閉機構８０は、シリンダ２２の揺動時に屈曲部８４から第２リンク８３を通してシリンダ２２の揺動をシャッター３１へ伝えるのを抑制することができ、シャッター３１を回動することなく、シャッター３１を一定の状態（開状態）で支持することが可能となる。さらに、シャッター３１及びノズル２１には、互いが当接することなく所定空間を形成している。これにより、シャッター３１が押し開いた後に洗浄位置へ移動するノズル２１は、シャッター３１と干渉しないために長時間使用による摩耗等での寿命を縮めるのを抑制できる。
【００２９】
以上、実施例の構成について説明したが、本発明はこれに限定されるものではなく、以下に示す態様に変更してもよい。
【００３０】
・本発明の実施例に記載された開閉機構６０、７０は実施例のノズル及びシリンダからなる洗浄手段２０のほかに、電動モータを駆動手段とするノズル（図示せず）を用いた人体洗浄装置に用いても良い。
【００３１】
・本発明の実施例に記載された開閉機構６０の突部６１は、シャッター３１に取り付けられており、シリンダ２２の移動時に突部３１と当接することで、シャッター３１を開方向に回動させ、押し開ける構造としても良い。
【００３２】
・本発明の実施例に記載された挿入部３５は、ベースプレート１１にシャッターアダプタ３１の着脱を容易にするために、シャッターアダプタ３１をベースプレート１１のガイド部１４に対して導くように挿入するため部材である。この挿入部３５は、ベースプレート１１にガイド部１４が形成されていることを前提として、下部３３に形成されることに限定されるものではない。
【符号の説明】
【００３３】
１、２   人体洗浄装置
３  便器
１０  本体
１１  ベースプレート
１２  ベースカバー
１３  開口部
２０  洗浄手段
２１  ノズル
２２  シリンダ
３０  シャッターアダプタ
３１  シャッター
４０  駆動手段
６０  実施例１の開閉機構
６１  突部
８０  実施例２の開閉機構
８１  回動軸
８２  第１リンク
８３  第２リンク
８４  屈曲部
８５  開閉機構の軸受け
【図１】
2011202416.tif 000003
【図２】
2011202416.tif 000004
【図３】
2011202416.tif 000005
【図４】
2011202416.tif 000006
【図５】
2011202416.tif 000007
【図６】
2011202416.tif 000008
【図７】
2011202416.tif 000009
【図８】
2011202416.tif 000010
【図９】
2011202416.tif 000011
【図１０】
2011202416.tif 000012
【図１１】
2011202416.tif 000013